(57)【特許請求の範囲】
【請求項１】
錠箱に、反転式ラッチと、該反転式ラッチと係脱するロッキングピースと、該ロッキングピースの先端部を前記反転式ラッチの後端部に係合する方向へと常時付勢するロッキングピース用の押圧手段と、この押圧手段の係合解除方向へと動きを規制する可動式のロック手段を備えたトリガー部材と、操作部材の操作力により作動しかつ前記ロッキングピースを前記係合解除方向へと作動させる係合作用構成部材とをそれぞれ配設し、開扉状態から閉扉状態へと移行する際、操作部材を操作すると、前記ロッキングピースは前記係合作用構成部材を介して前記係合解除方向へと若干作動するものの、前記押圧手段の押圧片が相変わらずロッキングピースの先端部側と可動式ロック手段との間に挟まった状態となっており、ロッキングピースは反転式ラッチとの係合状態を保ったままであることを特徴とする自由扉用のラッチ錠。
【請求項２】
請求項１に於いて、可動式のロック手段２４は、トリガー部材２１の水平杆部分２３に制御バネ２５、２６に挟まれた状態でかつ中立位置へと位置変位するように前記水平杆部分にスライド自在に嵌合し、操作部材の操作力により係合作用構成部材が作動すると、押圧片に設けた係止部分が一時的に可動式ロック手段を係止し、該係止状態は、閉扉時、前記操作部材から手を放して係合作用構成部材３１が初期位置へと戻ると押圧手段の付勢バネのバネ力により前記押圧片が係合解消の方向へと回転し、これにより可動式ロック手段は中立位置へと戻ることを特徴とする自由扉用のラッチ錠。
【請求項３】
請求項１に於いて、可動式のロック手段２４Ａは、トリガー部材２１の水平杆部分２３に制御バネ２５、２６に挟まれた状態でかつ中立位置へと位置変位するように前記水平杆部分にスライド自在に嵌合し、操作部材の操作力により係合作用構成部材が作動すると、錠箱内に軸支したストッパー片を含むストッパー手段が一時的に可動式ロック手段を係止し、該係止状態は、閉扉時、前記操作部材から手を放して係合作用構成部材が初期位置へと戻ると、該係合作用構成部材によって前記ストッパー片の係止が解かれ、これにより可動式ロック手段は中立位置へと戻ることを特徴とする自由扉用のラッチ錠。
【発明の詳細な説明】
【技術分野】
【０００１】
本発明は、自由扉用のラッチ錠に関する。
【背景技術】
【０００２】
特許文献１には、錠箱内に延出する操作部材側の駆動片により、付勢バネのバネ力に抗してラッチ枠内の反転式ラッチの拘束を解く方向に移動するロッキングピースを備えたラッチ錠が記載されている。
【０００３】
また、特許文献２には、錠箱内に延出する操作部材側の駆動片により、第１・第２の磁性体の極性に対応して反発しながらラッチ枠内の反転式ラッチの拘束を解く方向に移動するロッキングピースを備えたラッチ錠が記載されている。
【０００４】
これらの特許文献１、２に記載のラッチ錠は、ラッチ枠内に組み込んだ反転式のラッチに対して、単数又は複数個のロッキングピースでラッチを拘束し又は拘束を解くものの、自由扉（基端部が枢着され、自由端部にラッチを有する扉のこと）に適用することができない。そこで、現在、例えば反転式のラッチを用いることを前提として、自由扉に適用することができるラッチ錠の出現が期待されている。その場合、閉扉時にラッチングを阻害しない工夫が望まれる。
【特許文献１】特開平１１−１４１２０７号公報
【特許文献２】特開２００４−２７０１３２号公報
【発明の開示】
【発明が解決しようとする課題】
【０００５】
本発明の所期の目的は、由扉に反転式ラッチを有するラッチ錠を取付けた場合に於いて、開扉状態から閉扉状態へと移行する際、操作部材を操作しても、ロッキングピースが反転式ラッチを拘束し続け（反転式ラッチの傾斜面が受け金具に摺接しても反転しない状態を保持すること）して、扉の閉鎖位置にてラッチングを確実に行うことができることである。本発明の二次的な目的は、閉扉時、操作部材から手を放すと、トリガー部材の水平杆部分にスライド自在に設けられた可動式ロック手段が自動的に中立位置へと戻ることである。その他の目的は、閉扉時、操作手段から手を放すと、ロッキングピースが反転式ラッチを完全にロックする位置へと戻ることである。
【課題を解決するための手段】
【０００６】
本発明の自由扉用のラッチ錠は、錠箱に、反転式ラッチと、該反転式ラッチと係脱するロッキングピースと、該ロッキングピースの先端部を前記反転式ラッチの後端部に係合する方向へと常時付勢するロッキングピース用の押圧手段と、この押圧手段の係合解除方向へと動きを規制する可動式のロック手段を備えたトリガー部材と、操作部材の操作力により作動しかつ前記ロッキングピースを前記係合解除方向へと作動させる係合作用構成部材とをそれぞれ配設し、開扉状態から閉扉状態へと移行する際、操作部材を操作すると、前記ロッキングピースは前記係合作用構成部材を介して前記係合解除方向へと若干作動するものの、前記押圧手段の押圧片が相変わらずロッキングピースの先端部側と可動式ロック手段との間に挟まった状態となっており、ロッキングピースは反転式ラッチとの係合状態を保ったままであることを特徴とする。
【発明の効果】
【０００７】
（ａ）自由扉に反転式ラッチを有するラッチ錠を取付けた場合、閉鎖位置にてラッチングを確実に行うことができる（ラッチング機能を阻害しない）。例えば操作部材がプッシュ・プル方式である場合、ハンドルをプッシュしながら閉扉操作しても、反転式ラッチが受け具の係入穴に入り込まない限り、前記係入穴を形成する係合部に反転式ラッチの先端部がそれぞれ衝突状態に摺接（衝接）しても、反転式ラッチは、ロッキングピースの先端部で保持されたままなので反転することなく、そのままの姿勢を維持する。したがって、反転式ラッチは、常にラッチング可能な態勢で受け具の係入穴に入り込む（係合する）。
（ｂ）閉扉時、操作部材から手を放すと、トリガー部材の水平杆部分にスライド自在に設けられた可動式ロック手段が自動的に中立位置へと戻る。
（ｃ）また、閉扉時、操作手段から手を放すと、ロッキングピースが反転式ラッチを完全にロックする位置へと戻る。
（ｄ）上下一対のロッキングピースを、一芯軸を介して連係させた実施例の場合には、少なくとも１つのトリガー部材が存在すれば、上下一対のロッキングピースに対してトリガー部材の操作部材用のロック手段を作用させることができる。
【発明を実施するための最良の形態】
【０００８】
以下、図１乃至図１３に示す本発明を実施するための最良の形態（第１実施例）により説明する。なお、部材や部材の各部位に対して不番の用語も存在する。
【０００９】
（１）発明の実施の環境
図１は、完全閉扉時において操作部材から手を放した結果、係合作用構成部材３１が初期位置へと戻り、かつロッキングピース１５Ａが押圧手段４１（押圧片４２と付勢バネ４３を含む）に押圧されて、その先端部１５ａで反転式ラッチ５Ａを完全に保持（係合）した状態を示す。この時、押圧手段４１を構成する押圧片４２が付勢バネ４３のバネ力により矢印方向（時計方向）へと回転するので、該押圧片４２の係止部分で係止されていたトリガー部材２１のブロック状のロック手段２４が、前後の制御バネ２５，２６のバネ力により、トリガー部材２１の水平杆部分２３を矢印方向（右方向）へスライドしながら中立位置へと戻る。さて、Ｘはラッチ錠で、このラッチ錠Ｘは、自由扉Ｙに取付けられる錠本体１と、この錠本体の反転式ラッチ（以下、単に「ラッチ」ともいう）に対向するように戸枠Ｚの縦枠に固定される受け具５０とから成る。自由扉Ｙは、その基端部が戸枠Ｚの縦枠に蝶番を介して軸支され、水平方向に揺動する。自由扉Ｙの自由端部に錠本体１が固定されている。
【００１０】
まず、錠本体１の構成を説明する。２は自由扉Ｙにねじ等で取り付けられた錠箱で、周知のように、錠箱２は、ケース身２ａと、ケース蓋２ｂから構成されている。錠箱２は、不番のフロント板を有し、このフロント板の中央部には不番のトリガー部材用開口が形成されている。また、フロント板の上下端部には、不番の固着具用の取付け孔が形成されている。さらに、フロント板の中央部には、不番の上下一対のラッチ用開口が形成されている。
【００１１】
なお、錠箱２のケース身２ａ及びケース蓋２ｂには、トリガー部材を案内する案内長孔、係合作用片用の軸孔、駆動片用の開口等が適宜に形成されている。ここでは、細部的事項の符号や説明は割愛し、主な部材について説明する。
【００１２】
（２）ラッチ枠３
ラッチ枠３は錠箱２の中央部に固定的に設けられているが、本実施例では、不番の中央仕切り板を基準にして、上側と下側のラッチ枠部（ラッチ枠）３内に上下方向に位置する同一構成の反転式ラッチ５Ａ、５Ｂを、そのラッチングする係止面６が相互に対称となるように組込んでいる。
【００１３】
上側と下側のラッチ枠部（ラッチ枠）３は同一構成である。これらのラッチ枠部は、それぞれ水平対向壁と、該水平対向壁に直交する垂直壁とを有している。そして、水平対向壁には、ロッキングピース１５Ａ、１５Ｂの先端部１５ａ、１５ａを受け入れる切欠状の開口４が形成され、一方、水平対向壁に直交する垂直壁の内面には、バネ端支持部が突出形成されている。
【００１４】
（３）ラッチ
ラッチ枠部（ラッチ枠）３内にそれぞれ配設された上下一対のラッチ５Ａ、５Ｂは、それぞれ反転式のラッチであり、その後端部がラッチ枠３内に収まるようにフロント板の中央部のラッチ用開口にそれぞれ配設されている。
【００１５】
これらのラッチ５Ａ、５Ｂは、自由扉Ｙの自由端面から見た場合、或は図１１及び図１２の水平断面説明図を平面視から見た場合を基準にすると、ラッチングする係止面６が相互に対称に位置するように配設されている。なお、図１１は上方のラッチ５Ａを基準にした断面であり、一方、図１２は下方のラッチ５Ｂを基準にした断面である。
【００１６】
したがって、図１、図４等では、上位のラッチ５Ａの係止面６は手前側（図１１では上位のラッチ５Ａはハッチングされている）に位置し、一方、下位のラッチ５Ｂの係止面６は向こう側（図１２では下位のラッチ５Ｂはハッチングされている）に位置している。
【００１７】
ところで、反転式のラッチの構造に関しては、例えば特開平８−１００５５９号公報、特許公開平９−３２５２４８号公報、特許公開平１０−３１１１７３号公報、特開平１１−１４１２０７号公報、特許公開２００３−７４２４５号公報等に記載されているように、当業者にとって周知事項である。
【００１８】
反転式のラッチは、平面形状がほぼ菱形に形成され、前述したラッチングの係止面６、受け具５０の係合部５１に対する傾斜面７、ストッパー用突起、係合受け部等を有している。上下のラッチ５Ａ、５Ｂは、それぞれラッチバネ８により錠箱２のフロント板から突出する方向に付勢されている。
【００１９】
普通一般に、反転式のラッチは、自由扉Ｙの開閉時、受け具の係合部に摺接すると、ラッチの後端部（内端部）に嵌め込まれた平面門形形状のラッチ受け９及びラッチバネ（圧縮コイルばね）８を介して反転かつ進退動する。
【００２０】
また、ラッチ５Ａ、５Ｂとラッチ受け９との間はラッチバネ８で押し付けられて組み付けられた状態にあるが、相対的な回動（ラッチ受けに対するラッチの反転）は許容されている。さらに、ラッチ５Ａ、５Ｂは、閉扉時から開扉時の場合、ラッチバネ８のバネ力に抗して反転しながら後退した後は、前記ラッチバネ８のバネ力により、当初の位置へと戻る。
【００２１】
ところで、本実施例のラッチ５Ａ、５Ｂは、上述した機能を有するものの、開扉時から閉扉時の場合、例えばハンドルをプッシュしながら閉扉操作した場合、上下のラッチ５Ａ、５Ｂが同時に受け具５０の係入穴５２に入り込まない限り、前記係入穴を形成する係合部（例えば側壁部分の傾斜状表面とアール乃至平表面）５１にそれらの先端部がそれぞれ衝突状態に摺接しても、上下の反転式ラッチは、反転することなく、そのままの姿勢を維持する。この点については後述する。
【００２２】
（４）上下のロッキングピース
ロッキングピース１５Ａ、１５Ｂは、ラッチ枠３の外から、その指状先端部１５ａが、上下のラッチ５Ａ、５Ｂの不番の係合受け部に同時に係脱するように上下の固定枢軸１６をそれぞれ介して、かつ各固定枢軸１６の間に位置する可動の一芯軸１７を介して互いに連係するように配設されている。
【００２３】
各ロッキングピースは、例えば鉤状（Ｌ字形態）に成形され、その指状或いは鉤状先端部１５ａが、ラッチ枠３Ａ、３Ｂの水平対向壁に形成した開口に臨むように配設されている。これらのロッキングピース１５Ａ、１５Ｂは、それぞれ上方の固定枢軸１６と、下方の固定枢軸１６を介して所定量回動可能に軸支されている。そして、先端部１５ａが、ラッチ枠３の水平対向壁の各開口を介して各ラッチ５Ａ、５Ｂの係合受け部に選択的に係脱する。
【００２４】
さて、ロッキングピース１５Ａ、１５Ｂは同一構成なので、ここでは、図２を参照にして、上方のロッキングピース１５Ａを説明する。なお、ロッキングピース１５Ａ（１５Ｂ）、該ロッキングピースに対して作用する係合作用構成部材（係合作用片を含む構成部材）３１に関しては簡単に説明する。
【００２５】
まず、図２に於いて、ロッキングピース１５Ａは、先端部１５ａと、これに連設する基端部１５ｂとから成り、前記基端部１５ｂは固定枢軸１６に軸支されている。また、基端部１５ｂにはアーム部１５ｃが垂直方向に延在し、該アーム部１５ｃの先端部が可動の一芯軸１７を介して下方のロッキングピース１５Ｂに互いに連係するように連結されている。なお、本明細書の「先端部１５ａ側」とは、基端部１５ｂから指先状の先端部までの範囲である。
【００２６】
次に、図１、図４で示すように、係合作用構成部材３１は、ロッキングピース１５Ａ、１５Ｂの後方（錠箱２内部の後方側）に配設され、Ｌ字形状に成形された一組の係合作用片３２と、該係合作用片に連結された一組の揺動片３３とから成る。しかして、前記係合作用片３２及び揺動片３３は、一芯軸１７の水平線上に位置する第１固定軸と第２固定軸にそれぞれ軸支されている。そして、前記第１固定軸と第２固定軸の間には、係合作用片３２と揺動片３３を互いに連結する可動の連結軸３４が位置している。なお、係合作用構成部材３１の具体的構成についての符号は割愛するが、係合作用構成部材３１は、合計４枚の揺動レバー片を左右一対の支軸を介してロッキングピース１５Ａ、１５Ｂの垂直アーム部１５ｃの後方に配設され、錠箱内に入り込んでいる操作部材の駆動片によって押圧されると、図面上、左側の揺動レバー片が前記垂直アーム部１５ｃを押圧し、その結果、ロッキングピース１５Ａ、１５Ｂは、ラッチ５Ａ、５Ｂの係止状態を解く方向へと回動する。
【００２７】
次に、操作部材側の複数個の駆動片１１は、錠箱２の側壁に形成した複数個の開口１２を介してそれぞれ錠箱２内に延出しているが、本実施例では、係合作用片３２と揺動片３３の間であって、かつ前述した可動の連結軸３４の上方と下方に合計２個位置付けられている。
【００２８】
しかして、一つの駆動片１１が内外いずれかの操作部材の操作力により所定方向（実施例では水平方向）に移動して、係合作用片３２又は揺動片３３のいずれかの受け部に当たると、係合作用構成部材３１は、図１に示す初期位置の状態から、付勢バネ３５のバネ力に抗しながら第１固定軸と第２固定軸をそれぞれ支点に所定量回転し、図４で示すような作動状態となる。
【００２９】
その時、ロッキングピース１５Ａ、１５Ｂの垂直アーム部１５ｃが係合作用片３２の突起部に押圧されるので、ロッキングピース１５Ａ、１５Ｂは、後述するトリガー部材側に配設した付勢バネ４３の付勢力に抗して、かつ固定枢軸１６を支点に係合解除（ラッチの拘束を解く）方向へと回転する。
【００３０】
（５）トリガー部材
図３を参照にしてトリガー部材２１の構成を説明する。本実施例のトリガー部材２１は、断面コ字形状のトリガーヘッド２２と、このトリガーヘッド２２からロッキングピース１５Ａの先端部１５ａに所要空間を有して対向する水平杆部分２３と、この水平杆部分２３にスライド可能に嵌合し、かつ自由扉Ｙを開いた状態で操作部材の完全操作を不可とするようにロッキングピース１５Ａに押圧手段４１の押圧片４２を介して係合し、かつ該ロッキングピース１５Ａをロックするロック手段２４と、このロック手段２４の位置を制御するように該ロック手段２４に対して錠箱２内に水平方向に配設された前後の制御バネ２５、２６とから成る。
【００３１】
前記制御バネ２５、２６は、本発明の目的を考慮して、前側の制御バネ２５は、後側の制御バネ２６よりも弱い（扉の開閉の際におけるロック手段２４の位置変位のタイミングやバランスを考慮）。
【００３２】
しかして、トリガーヘッド２２には受け具５０の表面５０ａを摺動する水平のローラ２７が軸支されている。また、ロック手段２４は、図７で示すように、錠箱２の内面に設けられた水平案内部に適宜に案内されるように、例えば断面矩形状に形成され、かつ水平杆部分２３の中央部に外嵌合している。そして、図３で示すように、その下端部には、ロック手段係止用の押圧手段４１を構成する押圧片４２の上辺に突出形成された係止部分（或いは吸着部分）４２ａと係脱（離脱も含む）可能な杆状係合突起２４ａを有している。したがって、ロック手段２４は、押圧手段４１の押圧片４２を介してロッキングピース１５Ａの背側の係合部（係合面）に間接的に係脱可能である。
【００３３】
さらに、前後の制御バネ２５、２６は、水平杆部分２３の延在方向にロック手段２４を挟むように配設されており、例えばトリガーヘッド２２と可動のロック手段２４との間に介在する前側の制御バネ２５と、ロック手段２４と錠箱内部の後端部側に固定したバネ端受け兼用支持片２８との間に介在する後側の制御バネ２６に区分けされ、前後の制御バネ２５、２６のバネ力は適宜に設定されている。
【００３４】
（６）ロッキングピース用の押圧手段３１−押圧片４２と付勢バネ４３本実施例では、開扉時、ロッキングピース１５Ａ、１５Ｂをラッチ５Ａ、５Ｂを拘束する位置へと移動させるため、また、開扉状態から閉扉状態に変える際、望ましくはトリガー部材２１のロック手段２４を一時的に係止して、開扉時のラッチ５Ａ、５Ｂに対するロッキングピース１５Ａ、１５Ｂのロック状態を確実に維持するために、押圧手段４１をロック手段２４とロッキングピースとの所要空間に介在させている。なお、本実施例では、望ましくは下方のロッキングピース１５Ｂ側にも同様に付勢バネ４３を含む押圧手段（下方はもっぱら付勢手段）４１を配設している。
【００３５】
図３は、押圧片４２と付勢バネ４３を含む上方の押圧手段４１の一例を示している。ここでは上方の押圧手段４１の構成を説明する。
【００３６】
さて、本実施例の押圧手段４１は、ロック手段２４と係脱可能な押圧片４２と、この押圧片４２をロッキングピース１５Ａに付勢する付勢バネ４３と、前記押圧片４２を軸支する軸４４とから成る。
【００３７】
しかして、押圧片４２の基端部（或いは軸孔を有する軸部）はフロントの内面近傍に設けられた軸４４に軸支され、該基端部から指先状に延びる自由端部は、トリガー部材２１の水平杆部分２３の先端部側とロッキングピース１５Ａの先端部１５ａ側との間に位置している。自由端部は、前述したように上辺に小突片状の係止部分４２ａ（設計如何によっては吸着部分）を有し、一方、下辺中央部に突起状の押圧部４２ｂを有する。押圧部４２ｂは、押圧片４２の基端部に中央部が巻装された付勢バネ４３のバネ力により、ロッキングピース１５Ａを、ラッチ拘束方向へと常時付勢している。
【００３８】
なお、付勢バネ４３の一端部はフロントの内面側に圧接し、一方、他端部は押圧片４２の切欠部に圧接している。また押圧片４２は、例えば二股状の基端部を有する肉厚の板状態に形成している。
【００３９】
（７）閉扉時−図１
図１は閉扉時の状態を示す。閉扉時、上下の反転式のラッチ５Ａ、５Ｂは、受け具５０の係合部５１を越えると、ラッチバネ８のバネ力により前進する。つまり、ラッチ５Ａ、５Ｂは、受け具５０の係入穴５２に入り込む。また閉扉時、トリガーヘッド２２のローラ２７が受け具５０の表面５０ａに圧接すると、トリガー部材２１の水平杆部分２３は支持片２８等に案内されて後退動する。前述したように、図１は、完全閉扉時において操作部材から手を放した結果、係合作用構成部材３１が初期位置へと戻り、かつロッキングピース１５Ａが押圧手段４１（押圧片４２と付勢バネ４３を含む）に押圧されて、その先端部１５ａで反転式ラッチ５Ａを完全に保持（係合）した状態を示す。この時、押圧手段４１を構成する押圧片４２が付勢バネ４３のバネ力により矢印方向（時計方向）へと回転するので、該押圧片４２の係止部分で係止されていたトリガー部材２１のブロック状のロック手段２４が、前後の制御バネ２５，２６のバネ力により、トリガー部材２１の水平杆部分２３を矢印方向（右方向）へスライドしながら中立位置へと戻る。
【００４０】
付言すると、ロッキングピース１５Ａは、他方のロッキングピース１５Ｂと連係しているので、両方のロッキングピースの各先端部１５ａは、同時に上下のラッチ５Ａ、５Ｂの係合受け部に完全に係合する（閉扉時の初期位置）。そして、完全係合と同時に押圧片４２の係止部分４２ａはロック手段２４の係合突起２４ａからは離れる。押圧片４２は矢印で示す時計方向へ若干回転することにより、ロック手段２４との係合関係を解く。そうすると、ロック手段２４は、制御バネ２５，２６により矢印方向へスライドして初期位置（中立位置）へと戻る。このように、閉扉時、ロック手段２４はトリガー部材２１の後退した後に、押圧片４２からの拘束（係止）が解かれると、制御バネ２５，２６により押圧片４２から離れて図１の状態と成る。
【００４１】
（８）閉扉時における操作部材の操作力−図４
図４は、閉扉における操作部材の操作力が、駆動片１１を介して係合作用構成部材３１に伝わり、該係合作用構成部材３１を介して、前記操作力がさらに上下のロッキングピース１５Ａ、１５Ｂに伝わり、その結果、上下のロッキングピース１５Ａ、１５Ｂの各先端部１５ａが上下のラッチ５Ａ、５Ｂの各係合受け部からは離れたことを示す。扉Ｙを閉扉時から開扉状態へと変える際、ロッキングピース１５Ａは、反転式ラッチ５Ａの拘束を解く必要がある。何故ならば、反転式ラッチ５Ａの受け具５０にラッチングしている係止面６が水平方向へ回転変位しないと、扉Ｙを開けることができないからである。
【００４２】
そこで、前述したように、可動式ロック手段２４は、制御バネ２５、２６の制御により、ロッキングピース１５Ａの背側係合部から離れているので、操作部材に対するロックは解消されている。したがって、閉扉時、係合作用構成部材３１によって作動する上下のラッチ５Ａ、５Ｂは上下のロッキングピース１５Ａ、１５Ｂが矢印で示す方向（係合解除方向）へ作動すると、反転式ラッチ５Ａの完全保持（係合）状態を解く。こりにより、仮施錠状態が簡単に解消する。
【００４３】
（９）開扉時−図５
開扉時に於いて、操作部材から手を放し、操作部材の操作力が係合作用構成部材３１に伝わらなく成ると、上下のロッキングピース１５Ａ、１５Ｂは、係合作用構成部材３１から解放されることになるから、押圧手段４１の上下の付勢バネ４３の付勢力により、上下のラッチ５Ａ、５Ｂの係合受け部に完全に係合する初期位置へと戻る。
【００４４】
また、トリガー部材２１のローラ２７には障害物（戸枠）が存在しなくなったことから、トリガー部材２１は後側の制御バネ２６のバネ力により前進動する。トリガー部材２１が前進動すると、そのロック手段２４もトリガー部材の前進動に伴って押圧片４２と係合可能な位置へと接近する。本実施例では、図７で示すように、ロック手段２４の係合突起２４ａの下面と押圧片４２の係止部分４２ａの上端面との間に若干の間隙（例えば０．５８ｍｍ〜１ｍｍ）が存在するので、ロック手段２４は、その係合突起２４ａが押圧片４２の係止部分４２ａを越える前進位置へと接近する。
【００４５】
（１０）開扉から閉扉へ−図１０
図１０は、操作部材に手を触れて開扉状態から閉扉状態へと移行する際の説明図である。図５の状態に於いて、今仮に操作部材に手を触れて操作すると、操作部材の操作力は、図４を参照にして既に説明したように、上下のロッキングピース１５Ａ、１５Ｂにも作用することから、例えば図１０で示すロッキングピース１５Ａの先端部１５ａは、ラッチ５Ａの係合受け部から若干浮き上がる。
【００４６】
しかして、若干浮き上がり状態になっても、ラッチ５Ａはロッキングピース１５Ａの先端部１５ａに未だ拘束されており、該ラッチ５Ａは回転することができない（ラッチ５Ｂも同様）。
【００４７】
換言すると、ロッキングピース１５Ａは、操作部材の操作力により若干位置変位することにより、付勢バネ４３のバネ力に抗して時計方向へと若干回転した押圧片４２の係止部分４２ａがロック手段２４の係合突起２４ａに係合関係になるものの、相変わらずラッチ５Ａを拘束したままの状態となっている。
【００４８】
それ故に、開扉状態から閉扉状態へと移行する際、上下の反転式ラッチ５Ａ、５Ｂは、上下のロッキングピース１５Ａ、１５Ｂに反転することができないように相変わらず拘束されていることから、例えば操作部材がプッシュ・プル方式である場合、操作部材を操作（例えばプッシュ）すると、上下の反転式のラッチ５Ａ、５Ｂの先端部は、図９で示すように、受け具５０の係入穴５２を形成する係合部（側壁部分の傾斜状表面とアール乃至平表面）に衝突状態に摺接するものの、反転することなく、そのままの姿勢を維持しながら、受け具５０の係入穴５２に同時に入り込む。このように、本発明の自由扉用のラッチ錠Ｘは、開扉状態から閉扉状態へと移行する際、操作部材を操作すると、ロッキングピースは係合作用構成部材を介して若干係合解除方向へと作動するものの、押圧手段の押圧片が該ロッキングピースの先端部側と可動式ロック手段に挟まった状態となり、ロッキングピースは反転式ラッチとの係合状態を保ったままになることを特徴とする。
【００４９】
（１１）受け具
図１１、図１２は、錠本体１に対応する受け具５０の一例を示す。本実施例の錠本体１は、錠箱２のラッチ枠３内に上下方向に前述した反転式ラッチ５Ａ、５Ｂを配設し、かつそのラッチングする係止面６が相互に対称となるように組み込んでいる。
【００５０】
したがって、揺動する自由扉Ｙの自由端部の中央に対応する箇所、つまり、受け具５０の中央部に縦長状の係入穴５２を形成している。そして、係入穴５２の左右の側壁部分がラッチ用の係合部５１となっている。
【００５１】
なお、本発明は受け具５０の具体的構成について権利を要求するものでないから、その具体的構成に関しては簡単に説明するが、前記左右の係合部５１は、それぞれ回転対称であって、かつ、上下に区分された二つの係合部分から成っている。付言すると、一方の係合部分５１ａはラッチの係止面（先端）６が摺接する傾斜状のカム面（傾斜状表面）であり、他方（右側）の係合部分５１ｂはラッチの傾斜面７が摺接するアングル形のカム面（アールを有する平表面）となっている。しかも、前記一方の傾斜状表面の係合部分５１ａは、他方のアールを有する平表面の係合部分５１ｂよりも底壁５３側に多少落ち込んでいる。
【実施例】
【００５２】
本実施例に於いて、ロック手段２４の形状は断面矩形状であるが、ドーナツ形状、菱形形状等、発明の目的を達成することができる範囲で任意に設計変更をすることができる。
【００５３】
また、本実施例では、錠箱２のフロント板の上部に一つのトリガー部材２１を進退動自在に配設しているが、このトリガー部材２１は、フロント板の下部に配設しても良い。ところで、トリガー部材２１の数に関して付言すると、上下一対のロッキングピースを、可動の一芯軸１７を介して連係させた実施例の場合には、少なくとも１つのトリガー部材が存在すれば、上下一対のロッキングピースに対してトリガー部材２１の操作部材用のロック手段２４を作用させることができるので、少なくともフロント板の上部又は下部のいずれかに配設すれば良い。もちろん、フロント板の上部と下部にそれぞれ配設することもできる。
【００５４】
さらに、押圧手段４１の押圧片４２は、軸４４に軸支された指先形状の回転係合体であるが、該押圧片４２の係止部分４２ａをロック手段２４の係合突起と吸着する磁性体にしても良い。付言すると、押圧手段４１とロック手段２４との係脱関係は、制御バネ２５，２６のバネ係数を考慮した上で、互いの極性に対応して吸着するような構成することもできる。
【００５５】
なお、図１で示した押圧手段４１は軸４４に巻装した付勢バネ４３を含んでいるが、例えば図１３で示すように、押圧手段４１の付勢バネ４３をロッキングピース側に配設しても良い。図１３では、ロッキングピース用の付勢バネ４３は、上下の固定枢軸１６にそれぞれ巻装され、上下のロッキングピース１５Ａ、１５Ｂをラッチ５Ａ、５Ｂを拘束する方向へと付勢している。
【００５６】
次に、図１４乃至図１９を参照にして、本発明の第２実施例に相当する自由扉用のラッチ錠Ｘ１を説明する。この第２実施例が前記第１実施例と異なる点は、第１実施例の押圧手段４１の押圧片４２とトリガー部材２２のロック手段２４との一時的な係止手段に代えて、前記押圧手段４１とは全く別個の部材であるストッパー手段４６をトリガー部材２１の水平杆部分２３の後端部側と係合作用構成部材３１側或はロッキングピース１５Ａの基端部側との間に配設したことである。
【００５７】
すなわち、第１実施例では、ロック手段２４は、トリガー部材２１の水平杆部分２３に制御バネ２５、２６に挟まれた状態でかつ中立位置へと位置変位するように前記水平杆部分にスライド自在に嵌合し、操作部材の操作力により係合作用構成部材３１が作動すると、押圧片４２に設けた係合部分４２ａが一時的に可動式ロック手段２４を係止し、該係止状態は、閉扉時、前記操作部材から手を放して係合作用構成部材３１が初期位置へと戻ると押圧手段４１の付勢バネ４３のバネ力により、前記押圧片４２が係合解消の方向へと回転し、これにより可動式ロック手段２４は中立位置へと戻るのに対して、第２実施例のロック手段２４Ａは、トリガー部材２１の水平杆部分２３に制御バネ２５、２６に挟まれた状態でかつ中立位置へと位置変位するように前記水平杆部分にスライド自在に嵌合し、操作部材の操作力により係合作用構成部材３１が作動すると、錠箱内の固定軸４７に軸支したストッパー片４８を含むストッパー手段４６が一時的に前記可動式ロック手段２４Ａの後端面を係止し、該係止状態は、閉扉時、操作部材から手を放して係合作用構成部材３１が初期位置へと戻ると、該係合作用構成部材３１によって前記ストッパー片４８の係止が解かれ、これにより可動式ロック手段は中立位置へと戻る。
【００５８】
第２実施例のロック手段２４Ａは、第１実施例のロック手段２４のように、その背面（図面上、下面）に杆状係合突起を有していない。したがって、押圧手段４１の押圧片４２は、自由端部の上面に係止部分４２ａを有していても、前記ロック手段２４Ａの背面に係止状態に係合することはない。第２実施例では、第１実施例の可動式のロック手段２４の杆状係合突起２４ａと押圧手段４１の押圧片４２の係止関係は、ロック手段２４が制御バネ２５、２６に制御されるスライド部材であることから、係止のタイミングに相当の配慮を払わなければならないという問題点に鑑み、ロック手段２４Ａの後方に待ち構えた状態でタイミング良く確実にロック手段２４Ａを一時的に拘束して、かつ押圧手段４１の押圧片４２を介してロッキングピース１５Ａの反転ラッチの拘束状態を保持しようとするものである。
【００５９】
そこで、前記ストッパー手段４６は、ロッキングピース１５Ａ用の固定枢軸１６の付近の固定軸４７に軸支されていると共に、その後端部には係合作用構成部材３１の係合作用片３２の自由端部に押圧される板状受け部分４８ａを有すると共に、該板状受け部分４８ａに連設して先端部側に人差し指状に延在する板状係止指部分４８ｂとを有するストッパー片４８と、前記固定軸４７にその中央部が巻装され、一端部が前記固定軸４７に支持されていると共に他端部が前記板状係止指部分４８ｂに形成したバネ端支持部４８ｃに支持され、かつストッパー片４８をロック手段２４Ａに係合する方向へと付勢するバネ４９とから構成されている。
【００６０】
ここで、各図面について説明する。図１４は完全閉扉時において操作部材から手を放した状態であるから、第１実施例の図１に相当する説明図である。したがって、図１４は、完全閉扉時において操作部材から手を放した結果、係合作用構成部材３１が初期位置へと戻り、かつロッキングピース１５Ａが押圧手段４１（押圧片４２と付勢バネ４３を含む）に押圧されて、その先端部１５ａで反転式ラッチ５Ａを完全に保持（係合）した状態を示す。この時、押圧片４２とロック手段２４の杆状係合突起２４ａとの係止手段に代えたストッパー片４８が、係合作用構成部材３１の係合作用片３２の自由端部（図面では上端部）３２ａによって押圧されることから、バネ４９のバネ力に抗して係止解除の位置へと戻る。したがって、ストッパー片４８の板状係止指部分４８ｂで後端面がストッパーされていたロック手段２４Ａは、前後の制御バネ２５，２６のバネ力により、トリガー部材２１の水平杆部分２３を矢印方向（右方向）へスライドしながら中立位置へと戻る。
【００６１】
一方、図１５は完全開扉時において操作部材から手を放した状態であるから、第１実施例の図５に相当する説明図である。したがって、トリガー部材２１のローラ２７には障害物（戸枠）が存在しなくなったことから、トリガー部材２１のロック手段２４Ａは後側の制御バネ２６のバネ力により前進動し、押圧手段４１の押圧片４２の上方に位置する。
【００６２】
次に、図１８の（ａ）と（ｂ）は、開扉状態から閉扉状態へと移行する際、操作部材を操作すると、ロッキングピース１５Ａは係合作用構成部材３１を介して若干係合解除方向へと作動するものの、押圧手段４１の押圧片４２が該ロッキングピース１５Ａの先端部側と可動式ロック手段２４Ａに挟まった状態となり、ロッキングピース１５Ａは反転式ラッチとの係合状態を保ったままになることを示している。したがって、開扉状態から閉扉状態へと移行する際、ロッキングピース１５Ａの反転式ラッチに対する拘束態様は第１実施例のそれと同一である。
【００６３】
そして、最後に、図１９は、閉扉状態に於いて操作部材を操作した場合である。この場合、図１４で説明したように、ロック手段２４Ａは中立位置に存在すると共に、押圧手段４１の押圧片４２の係合解除方向への動き（したがって、ロッキングピース１５Ａの係合解除方向への動き）を規制していないから、閉扉時、係合作用構成部材３１によって作動する上下のラッチ５Ａ、５Ｂは上下のロッキングピース１５Ａ、１５Ｂが係合解除方向へ作動すると、反転式ラッチ５Ａの完全保持（係合）状態を解く。こりにより、仮施錠状態が簡単に解消する。
【産業上の利用可能性】
【００６４】
本発明は、主に錠前や建具の業界で利用される。
【図面の簡単な説明】
【００６５】
図１乃至図１３は本発明の最良の実施例（第１実施例）を示す各説明図。図１４乃至図１９は本発明の最良の実施例を示す各説明図（第２実施例）。
【図１】第１実施例の閉扉時の概略説明図。
【図２】図１における付勢バネを含む要部の説明図。
【図３】付勢バネを含む要部の斜視図。
【図４】閉扉時における操作部材の操作力の説明図。
【図５】開扉時の概略説明図。
【図６】フロント側から見た説明図。
【図７】付勢バネを含む要部の縦断面説明図。
【図８】閉扉の際の受け具とトリガー部材との関係を示す説明図。
【図９】閉扉の際の受け具と上下のラッチとの関係を示す説明図。
【図１０】操作部材に手を触れて開扉状態から閉扉状態へと移行する際の説明図。
【図１１】受け具と上側のラッチとの関係を示す説明図。
【図１２】受け具と下側のラッチとの関係を示す説明図。
【図１３】ロッキングピース用の付勢バネ４３の配設位置を変更した一例を示す図１と同様の概略説明図。
【図１４】第２実施例の閉扉時の概略説明図。
【図１５】第１実施例の図５（開扉時で手を放す）に相当する説明図。
【図１６】ストッパー手段４６の説明図。
【図１７】ストッパー手段４６の分解斜視図。
【図１８】図１８（ａ）と図１８（ｂ）は、開扉状態から閉扉状態へと移行する際、操作部材を操作した時の説明図。
【図１９】閉扉状態に於いて操作部材を操作した場合の説明図である。
【符号の説明】
【００６６】
Ｘ、Ｘ１…ラッチ錠、Ｙ…扉（自由扉）、Ｚ…戸枠、１…錠本体、２…錠箱、３…ラッチ枠、４…切欠状の開口、５Ａ、５Ｂ…ラッチ、６…ラッチの係止面、７…ラッチの傾斜面、８…ラッチバネ、９…ラッチ受け、１１…駆動片、１２…駆動片用の開口、１５Ａ、１５Ｂ…ロッキングピース、１５ａ…先端部、１５ｂ…後端部、１５ｃ…アーム部、１６…固定枢軸、１７…可動の一芯軸、２１…トリガー部材、２２…トリガーヘッド、２３…水平杆部分、２４、２４Ａ…ロック手段、２４ａ…係合突起、２５…前側の制御バネ、２６…後側の制御バネ、２７…ローラ、２８…バネ端受け兼用支持片、３１…係合作用構成部材、３２…一組の係合作用片、３２ａ…係合作用片３２の自由端部（図面では上端部）、３３…一組の揺動片、３４…可動の連結軸、３５…係合作用構成部材の付勢バネ、４１…押圧手段、４２…押圧片、４２ａ…係止部分、４２ｂ…押圧部、４３…付勢バネ、５０…受け具、５１…係合部、５１ａ…係合部分（傾斜状表面）、５１ｂ…係合部分（平表面）、５２…係入穴、５３…底壁、４６…ストッパー手段、４７…固定軸、４８…ストッパー片、４８ａ…板状受け部分、４８ｂ…板状係止指部分、４９…バネ。
【図１】
0005128984.tif 000002
【図２】
0005128984.tif 000003
【図３】
0005128984.tif 000004
【図４】
0005128984.tif 000005
【図５】
0005128984.tif 000006
【図６】
0005128984.tif 000007
【図７】
0005128984.tif 000008
【図８】
0005128984.tif 000009
【図９】
0005128984.tif 000010
【図１０】
0005128984.tif 000011
【図１１】
0005128984.tif 000012
【図１２】
0005128984.tif 000013
【図１３】
0005128984.tif 000014
【図１４】
0005128984.tif 000015
【図１５】
0005128984.tif 000016
【図１６】
0005128984.tif 000017
【図１７】
0005128984.tif 000018
【図１８】
0005128984.tif 000019
【図１９】
0005128984.tif 000020